(57)【特許請求の範囲】
【請求項１】
所定の色のインクを吐出するための複数の吐出口が所定方向に配列されたＮ個の吐出口列が前記所定方向と交差する交差方向に並んで配置された記録ヘッドと、記録媒体と、を前記交差方向に移動させながら、前記記録媒体上の複数の画素相当の画素領域のそれぞれに対するインクの吐出または非吐出を定める記録データにしたがってインクを吐出することによって前記記録媒体上に画像を記録するために、前記記録媒体上に記録する画像に対応する画像データを処理する画像処理装置であって、
前記画像データを取得する第１の取得手段と、
前記第１の取得手段によって取得された前記画像データに基づいて前記記録媒体上に記録するドットの位置を定めるドット記録用データを取得する第２の取得手段と、
前記第２の取得手段によって取得された前記ドット記録用データに基づき、前記複数の画素それぞれに対し、前記画像のエッジ部に対応する画素であるか、前記エッジ部以外の非エッジ部に対応する画素であるか、を判別し、判別結果に基づいて、前記記録媒体上の複数の判別領域のそれぞれが、前記エッジ部と、前記非エッジ部と、のいずれに対応するかを判別するエッジ判別手段と、
前記取得手段により取得された前記ドット記録用データを前記Ｎ個の吐出口列それぞれに対して定められた分配率にしたがって前記Ｎ個の吐出口列に分配することにより前記Ｎ個の吐出口列用の記録データを生成する分配手段と、を有し、
前記分配手段は、（ｉ）前記エッジ判別手段により前記非エッジ部に対応すると判別された前記判別領域のための前記ドット記録用データを前記Ｎ個の吐出口列それぞれに分配するための分配率のうちの最大値と最小値との差が、前記エッジ判別手段により前記エッジ部に対応すると判別された前記判別領域のための前記ドット記録用データを前記Ｎ個の吐出口列それぞれに分配するための分配率のうちの最大値と最小値との差よりも小さくなるように分配し、且つ、（ｉｉ）前記エッジ判別手段によって前記エッジ部に対応すると判別された前記判別領域のための前記ドット記録用データを、前記Ｎ個の吐出口列のうちの前記交差方向に互いに隣接するＫ（Ｋ＜Ｎ）個の吐出口列それぞれに分配するための分配率が、いずれも前記Ｋ個の吐出口列以外のＮ−Ｋ個の吐出口列それぞれに分配するための分配率よりも高くなるように分配することを特徴とする画像処理装置。
【請求項２】
前記分配手段は、前記エッジ判別手段により前記エッジ部に対応すると判別された前記判別領域のための前記ドット記録用データを、前記Ｋ個の吐出口列のみに分配することを特徴とする請求項１に記載の画像処理装置。
【請求項３】
前記分配手段は、前記エッジ判別手段により前記非エッジ部に対応すると判別された前記判別領域のための前記ドット記録用データを、前記Ｎ個の吐出口列に分配するための分配率がほぼ同じとなるように分配することを特徴とする請求項１または２に記載の画像処理装置。
【請求項４】
前記エッジ判別手段は、前記判別領域内における前記エッジ部に対応する画素の数が所定の閾値以上である場合、該判別領域を前記エッジ部に対応する判別領域であると判別し、前記判別領域内における前記エッジ部に対応する画素の数が所定の閾値よりも少ない場合、該判別領域を前記非エッジ部に対応する判別領域であると判別することを特徴とする請求項１から３のいずれか１項に記載の画像処理装置。
【請求項５】
前記エッジ判別手段は、前記ドット記録用データのインクの吐出を示す信号とインクの非吐出を示す信号とを反転させることにより反転データを生成し、該反転データのインクの吐出を示す信号に対してボールド処理を実行することにより判別データを生成し、該判別データと前記ドット記録用データの論理積をとることにより前記エッジ部に対応する画素と、前記非エッジ部に対応する画素と、の判別を行うことを特徴とする請求項１から４のいずれか１項に記載の画像処理装置。
【請求項６】
前記エッジ判別手段は、前記反転データのインクの吐出を示す信号に対して前記交差方向のみにボールド処理を実行することにより前記判別データを生成することを特徴とする請求項５に記載の画像処理装置。
【請求項７】
前記エッジ判別手段は、前記エッジ部の近傍に位置するエッジ近傍部を更に判別し、
前記分配手段は、（ｉｉ）前記エッジ判別手段によって前記エッジ近傍部であると判別された前記判別領域のための前記ドット記録用データを、Ｎ個の吐出口列のうちの前記交差方向に互いに隣接するＬ（Ｋ＜Ｌ＜Ｎ）個の吐出口列それぞれに分配するための分配率が、いずれも前記Ｌ個の吐出口列以外のＮ−Ｌ個の吐出口列それぞれに分配するための分配率よりも高くなるように分配することを特徴とする請求項１から６のいずれか１項に記載の画像処理装置。
【請求項８】
所定の色のインクを吐出するための複数の吐出口が所定方向に配列されたＮ個の吐出口列が前記所定方向と交差する交差方向に並んで配置された記録ヘッドと、記録媒体と、を前記交差方向に移動させながら、前記記録媒体上の複数の画素相当の画素領域のそれぞれに対するインクの吐出または非吐出を定める記録データにしたがってインクを吐出することによって前記記録媒体上に画像を記録するために、前記記録媒体上に記録する画像に対応する画像データを処理する画像処理装置であって、
前記画像データを取得する第１の取得手段と、
前記第１の取得手段によって取得された前記画像データに基づいて前記記録媒体上に記録するドットの位置を定めるドット記録用データを取得する第２の取得手段と、
前記第２の取得手段によって取得された前記ドット記録用データが画像のエッジ部と、画像のエッジ部以外の非エッジ部と、のいずれに対応するかを判別するエッジ判別手段と、
前記取得手段により取得された前記ドット記録用データを前記Ｎ個の吐出口列それぞれに対して定められた分配率にしたがって前記Ｎ個の吐出口列に分配することにより前記Ｎ個の吐出口列用の記録データを生成する分配手段と、
を有し、
前記分配手段は、（ｉ）前記エッジ判別手段により前記ドット記録用データが前記非エッジ部に対応すると判別された場合における前記Ｎ個の吐出口列それぞれに分配するための分配率のうちの最大値と最小値との差が、前記エッジ判別手段により前記ドット記録用データが前記エッジ部に対応すると判別された場合における前記Ｎ個の吐出口列それぞれに分配するための分配率のうちの最大値と最小値との差よりも小さく、且つ、（ｉｉ）前記エッジ判別手段によって前記ドット記録用データが前記エッジ部に対応すると判別された場合における、前記Ｎ個の吐出口列のうちの前記交差方向に互いに隣接するＫ（Ｋ＜Ｎ）個の吐出口列それぞれに分配するための分配率が、いずれも前記Ｋ個の吐出口列以外のＮ−Ｋ個の吐出口列それぞれに分配するための分配率よりも高くなるように、前記ドット記録用データを前記Ｎ個の吐出口列に分配し、且つ、（ｉｉｉ）第１の記録媒体上に記録を行うための記録データを生成する場合には前記Ｋの値をＫ１（Ｋ１＜Ｎ）に設定し、且つ、前記第１の記録媒体よりも摩擦係数の低い第２の記録媒体上に記録を行うための記録データを生成する場合には前記Ｋの値をＫ２（Ｋ２＜Ｋ１）に設定することを特徴とする画像処理装置。
【請求項９】
所定の色のインクを吐出するための複数の吐出口が所定方向に配列されたＮ個の吐出口列が前記所定方向と交差する交差方向に並んで配置された記録ヘッドと、記録媒体と、を前記交差方向に移動させながら、前記記録媒体上の複数の画素相当の画素領域のそれぞれに対するインクの吐出または非吐出を定める記録データにしたがってインクを吐出することによって前記記録媒体上に画像を記録するために、前記記録媒体上に記録する画像に対応する画像データを処理する画像処理装置であって、
前記画像データを取得する第１の取得手段と、
前記第１の取得手段によって取得された前記画像データに基づいて前記記録媒体上に記録するドットの位置を定めるドット記録用データを取得する第２の取得手段と、
前記第２の取得手段によって取得された前記ドット記録用データが画像のエッジ部と、画像のエッジ部以外の非エッジ部と、のいずれに対応するかを判別するエッジ判別手段と、
前記取得手段により取得された前記ドット記録用データを前記Ｎ個の吐出口列それぞれに対して定められた分配率にしたがって前記Ｎ個の吐出口列に分配することにより前記Ｎ個の吐出口列用の記録データを生成する分配手段と、
を有し、
前記分配手段は、（ｉ）前記エッジ判別手段により前記ドット記録用データが前記非エッジ部に対応すると判別された場合における前記Ｎ個の吐出口列それぞれに分配するための分配率のうちの最大値と最小値との差が、前記エッジ判別手段により前記ドット記録用データが前記エッジ部に対応すると判別された場合における前記Ｎ個の吐出口列それぞれに分配するための分配率のうちの最大値と最小値との差よりも小さく、且つ、（ｉｉ）前記エッジ判別手段によって前記ドット記録用データが前記エッジ部に対応すると判別された場合における、前記Ｎ個の吐出口列のうちの前記交差方向に互いに隣接するＫ（Ｋ＜Ｎ）個の吐出口列それぞれに分配するための分配率が、いずれも前記Ｋ個の吐出口列以外のＮ−Ｋ個の吐出口列それぞれに分配するための分配率よりも高くなるように、前記ドット記録用データを前記Ｎ個の吐出口列に分配し、且つ、（ｉｉｉ）前記記録媒体上の第１の面に記録を行うための記録データを生成する場合には前記Ｋの値をＫ３（Ｋ３＜Ｎ）に設定し、且つ、前記記録媒体上の前記第１の面の裏であり、前記第１の面よりも後に記録を行う第２の記録媒体上に記録を行うための記録データを生成する場合には前記Ｋの値をＫ４（Ｋ４＜Ｋ３）に設定することを特徴とする画像処理装置。
【請求項１０】
所定の色のインクを吐出するための複数の吐出口が所定方向に配列されたＮ個の吐出口列が前記所定方向と交差する交差方向に並んで配置された記録ヘッドと、記録媒体と、を前記交差方向に移動させながら、前記記録媒体上の複数の画素相当の画素領域のそれぞれに対するインクの吐出または非吐出を定める記録データにしたがってインクを吐出することによって前記記録媒体上に画像を記録するために、前記記録媒体上に記録する画像に対応する画像データを処理する画像処理装置であって、
前記画像データを取得する第１の取得手段と、
前記第１の取得手段によって取得された前記画像データに基づいて前記記録媒体上に記録するドットの位置を定めるドット記録用データを取得する第２の取得手段と、
前記第２の取得手段によって取得された前記ドット記録用データに基づき、前記複数の画素それぞれに対し、前記画像のエッジ部に対応する画素であるか、前記エッジ部以外の非エッジ部に対応する画素であるか、を判別し、判別結果に基づいて、前記記録媒体上の複数の判別領域のそれぞれが、前記エッジ部と、前記非エッジ部と、のいずれに対応するかを判別するエッジ判別手段と、
前記取得手段により取得された前記ドット記録用データを前記Ｎ個の吐出口列それぞれに対して定められた分配率にしたがって前記Ｎ個の吐出口列に分配することにより前記Ｎ個の吐出口列用の記録データを生成する分配手段と、を有し、
前記分配手段は、（ｉ）前記エッジ判別手段により前記非エッジ部に対応すると判別された前記判別領域のための前記ドット記録用データを、前記Ｎ個の吐出口列に分配するための分配率がほぼ同じとなるように分配し、且つ、（ｉｉ）前記エッジ判別手段により前記エッジ部に対応すると判別された前記判別領域のための前記ドット記録用データを、前記ドット記録用データを前記Ｎ個の吐出口列のうちの前記交差方向に互いに隣接するＫ（Ｋ＜Ｎ）個の吐出口列のみに分配することを特徴とする画像処理装置。
【請求項１１】
所定の色のインクを吐出するための複数の吐出口が所定方向に配列されたＮ個の吐出口列が前記所定方向と交差する交差方向に並んで配置された記録ヘッドと、記録媒体と、を前記交差方向に移動させながら、前記記録媒体上の複数の画素相当の画素領域のそれぞれに対するインクの吐出または非吐出を定める記録データにしたがってインクを吐出することによって前記記録媒体上に画像を記録するために、前記記録媒体上に記録する画像に対応する画像データを処理する画像処理方法であって、
前記画像データを取得し、
取得された前記画像データに基づいて前記記録媒体上に記録するドットの位置を定めるドット記録用データを取得し、
取得された前記ドット記録用データに基づき、前記複数の画素それぞれに対し、前記画像のエッジ部に対応する画素であるか、前記エッジ部以外の非エッジ部に対応する画素であるか、を判別し、判別結果に基づいて、前記記録媒体上の複数の判別領域のそれぞれが、前記エッジ部と、前記非エッジ部と、のいずれに対応するかを判別し、
取得された前記ドット記録用データを前記Ｎ個の吐出口列それぞれに対して定められた分配率にしたがって前記Ｎ個の吐出口列に分配することにより前記Ｎ個の吐出口列用の記録データを生成し、
（ｉ）前記非エッジ部に対応すると判別された前記判別領域のための前記ドット記録用データを前記Ｎ個の吐出口列それぞれに分配するための分配率のうちの最大値と最小値との差は、前記エッジ部に対応すると判別された前記判別領域のための前記ドット記録用データを前記Ｎ個の吐出口列それぞれに分配するための分配率のうちの最大値と最小値との差よりも小さく、且つ、（ｉｉ）前記エッジ部に対応すると判別された前記判別領域のための前記ドット記録用データを前記Ｎ子の吐出口列に分配するための分配率は、前記Ｎ個の吐出口列のうちの前記交差方向に互いに隣接するＫ（Ｋ＜Ｎ）個の吐出口列それぞれに分配するための分配率が、いずれも前記Ｋ個の吐出口列以外のＮ−Ｋ個の吐出口列それぞれに分配するための分配率よりも高いことを特徴とする画像処理方法。
【請求項１２】
所定の色のインクを吐出するための複数の吐出口が所定方向に配列されたＮ個の吐出口列が前記所定方向と交差する交差方向に並んで配置された記録ヘッドと、
記録媒体上に記録する画像に対応する画像データを取得する第１の取得手段と、
前記第１の取得手段によって取得された前記画像データに基づいて前記記録媒体上に記録するドットの位置を定めるドット記録用データを取得する第２の取得手段と、
前記第２の取得手段によって取得された前記ドット記録用データに基づき、前記複数の画素それぞれに対し、前記画像のエッジ部に対応する画素であるか、前記エッジ部以外の非エッジ部に対応する画素であるか、を判別し、判別結果に基づいて、前記記録媒体上の複数の判別領域のそれぞれが、前記エッジ部と、前記非エッジ部と、のいずれに対応するかを判別するエッジ判別手段と、
前記取得手段により取得された前記ドット記録用データを前記Ｎ個の吐出口列それぞれに対して定められた分配率にしたがって前記Ｎ個の吐出口列に分配することにより、前記記録媒体上の複数の画素相当の画素領域のそれぞれに対するインクの吐出または非吐出を定める前記Ｎ個の吐出口列用の記録データを生成する分配手段と、
前記記録ヘッドと、前記記録媒体を前記交差方向に移動させながら、前記分配手段によって生成された前記記録データにしたがってインクを吐出するように制御する吐出制御手段と、を有する画像記録装置であって、
前記分配手段は、（ｉ）前記エッジ判別手段により前記非エッジ部に対応すると判別された前記判別領域のための前記ドット記録用データを前記Ｎ個の吐出口列それぞれに分配するための分配率のうちの最大値と最小値との差が、前記エッジ判別手段により前記エッジ部に対応すると判別された前記判別領域のための前記ドット記録用データを前記Ｎ個の吐出口列それぞれに分配するための分配率のうちの最大値と最小値との差よりも小さくなるように分配し、且つ、（ｉｉ）前記エッジ判別手段によって前記エッジ部に対応すると判別された前記判別領域のための前記ドット記録用データを、前記Ｎ個の吐出口列のうちの前記交差方向に互いに隣接するＫ（Ｋ＜Ｎ）個の吐出口列それぞれに分配するための分配率が、いずれも前記Ｋ個の吐出口列以外のＮ−Ｋ個の吐出口列それぞれに分配するための分配率よりも高くなるように分配することを特徴とする画像記録装置。
【発明の詳細な説明】
【技術分野】
【０００１】
本発明は、画像処理装置、画像処理方法および画像記録装置に関する。
【背景技術】
【０００２】
同じ色のインクを吐出するための複数の吐出口を所定方向に沿って配列した吐出口列を有する記録ヘッドを所定方向と交差する交差方向に走査させながら記録媒体にインクを吐出することにより記録媒体に画像を完成させる画像記録装置が従来より知られている。このような画像記録装置では、画質の低下を抑制するために記録媒体上の単位領域に対して複数回の走査を行う、いわゆるマルチパス記録方式が一般に用いられている。
【０００３】
一方、上述のような画像記録装置において、近年では同色のインクに対応する複数の吐出口列が前記交差方向に並んで配置された記録ヘッドを用いることが知られている。このような画像記録装置によれば、マルチパス記録方式を用いることなく、１回の走査にて画質の低下を抑制するマルチパス記録方式と同様の効果（以下、マルチパス効果とも称する）を奏した記録を行うことが可能となる。
【０００４】
ここで、上述のような記録ヘッドを用いる場合、記録媒体の搬送量が周期的に変動し、これに伴って異なる吐出口列から吐出されたインク滴の交差方向における着弾位置が周期的にずれてしまい、画質が低下する虞がある。なお、このインク滴の着弾位置のずれはインク滴間の着弾時間差が長いほど、すなわち吐出口列間の交差方向における距離が離れているほど大きなものとなる。これに対し、特許文献１には、インクを吐出する位置を示す２値データを各吐出口列に分配し、各吐出口列からインクを吐出するために用いる記録データを生成する際に、複数（例えば４列）の吐出口列のうち隣接する所定数（例えば２列）の吐出口列に対する分配率が他の吐出口列に対する分配率よりも高く設定することが開示されている。
【先行技術文献】
【特許文献】
【０００５】
【特許文献１】特開２００８−１６８６２９号公報
【発明の概要】
【発明が解決しようとする課題】
【０００６】
しかしながら、特許文献１に開示された技術では、記録する画像によらず常に隣接する吐出口列への分配率を高くしてしまうため、複数の吐出口列によって分担して画像を記録することにより得られるマルチパス効果が小さくなってしまう。
【０００７】
一方、複数の吐出口列から均等にインクを吐出した場合、上述の搬送量のずれに由来するインク滴の着弾位置ずれが顕著に発生してしまう。特に、隣接する位置にインクが吐出されない領域であるエッジ部にて上述の着弾位置ずれが生じた場合、画質の低下が顕著な特に顕著となる虞がある。
【０００８】
本発明は上記の課題を鑑みて為されたものであり、マルチパス効果と、記録媒体の搬送量のずれによるインク滴の着弾位置ずれの抑制と、を両立した記録を行うことを目的とするものである。
【課題を解決するための手段】
【０００９】
そこで、本発明は、所定の色のインクを吐出するための複数の吐出口が所定方向に配列されたＮ個の吐出口列が前記所定方向と交差する交差方向に並んで配置された記録ヘッドと、記録媒体と、を前記交差方向に移動させながら、前記記録媒体上の複数の画素相当の画素領域のそれぞれに対するインクの吐出または非吐出を定める記録データにしたがってインクを吐出することによって前記記録媒体上に画像を記録するために、前記記録媒体上に記録する画像に対応する画像データを処理する画像処理装置であって、前記画像データを取得する第１の取得手段と、前記第１の取得手段によって取得された前記画像データに基づいて前記記録媒体上に記録するドットの位置を定めるドット記録用データを取得する第２の取得手段と、前記第２の取得手段によって取得された前記ドット記録用データに基づき、前記複数の画素それぞれに対し、前記画像のエッジ部に対応する画素であるか、前記エッジ部以外の非エッジ部に対応する画素であるか、を判別し、判別結果に基づいて、前記記録媒体上の複数の判別領域のそれぞれが、前記エッジ部と、前記非エッジ部と、のいずれに対応するかを判別するエッジ判別手段と、前記取得手段により取得された前記ドット記録用データを前記Ｎ個の吐出口列それぞれに対して定められた分配率にしたがって前記Ｎ個の吐出口列に分配することにより前記Ｎ個の吐出口列用の記録データを生成する分配手段と、を有し、前記分配手段は、（ｉ）前記エッジ判別手段により前記非エッジ部に対応すると判別された前記判別領域のための前記ドット記録用データを前記Ｎ個の吐出口列それぞれに分配するための分配率のうちの最大値と最小値との差が、前記エッジ判別手段により前記エッジ部に対応すると判別された前記判別領域のための前記ドット記録用データを前記Ｎ個の吐出口列それぞれに分配するための分配率のうちの最大値と最小値との差よりも小さくなるように分配し、且つ、（ｉｉ）前記エッジ判別手段によって前記エッジ部に対応すると判別された前記判別領域のための前記ドット記録用データを、前記Ｎ個の吐出口列のうちの前記交差方向に互いに隣接するＫ（Ｋ＜Ｎ）個の吐出口列それぞれに分配するための分配率が、いずれも前記Ｋ個の吐出口列以外のＮ−Ｋ個の吐出口列それぞれに分配するための分配率よりも高くなるように分配することを特徴とする。
【発明の効果】
【００１０】
本発明に係る画像処理装置、画像処理方法および画像記録装置によれば、マルチパス効果と、記録媒体の搬送量のずれによるインク滴の着弾位置ずれの抑制と、を両立した記録を行うことが可能となる。
【図面の簡単な説明】
【００１１】
【図１】実施形態に係る画像記録装置の内部構成を示す模式図である。
【図２】実施形態に係る記録ヘッドの模式図である。
【図３】実施形態に係る記録制御系を説明するための図である。
【図４】記録媒体の搬送量の周期的なずれを説明するための図である。
【図５】実施形態における画像処理の工程を示すブロック図である。
【図６】実施形態における画像処理の過程を説明するためのフローチャートである。
【図７】実施形態に係るドットパターンを示す図である。
【図８】実施形態に係るエッジ検出方法を説明するためのフローチャートである。
【図９】実施形態に係るエッジ検出方法の過程を示す模式図である。
【図１０】実施形態で適用する分配パターンを示す模式図である。
【図１１】実施形態における分配処理を説明するための図である。
【図１２】実施形態に係るエッジ検出方法を説明するためのフローチャートである。
【図１３】実施形態におけるエッジ検出方法を説明するための図である。
【図１４】実施形態で適用する分配パターンを示す模式図である。
【図１５】実施形態における境界部を模式的に示す図である。
【図１６】実施形態におけるエッジ検出方法を説明するためのフローチャートである。
【図１７】記録媒体の搬送量の周期的なずれを説明するための図である。
【発明を実施するための形態】
【００１２】
以下に図面を参照し、本発明の第１の実施形態について詳細に説明する。
【００１３】
（第１の実施形態）
図１は本実施形態に係るインクジェット記録装置の内部構成を部分的に示す模式図である。
【００１４】
本実施形態のインクジェット記録装置（以下、プリンタ、画像記録装置とも称する）は、記録ヘッド１０１〜１０４を有する記録ユニット１０７を備えている。ここで、記録ヘッド１０１〜１０４は、それぞれブラックインク（Ｋインク）、シアンインク（Ｃインク）、マゼンタインク（Ｍインク）、イエローインク（Ｙインク）を吐出するためのものである。また、記録ヘッド１０１〜１０４は、それぞれのＹ方向（所定方向）における長さが記録媒体１０６のＹ方向における幅よりも長くなるように形成されている。本実施形態における記録ユニット１０７は、これらの記録ヘッド１０１〜１０４がＸ方向（交差方向）に並ぶことにより構成される。
【００１５】
記録媒体１０６は、搬送ローラ１０５（および他の不図示のローラ）が搬送モータ（不図示）の駆動力によって回転することにより、Ｘ方向に搬送（移動）される。この記録媒体１０６のＸ方向への搬送（移動）は、記録ユニット１０７のＸ方向への走査に実質的に相当する。記録媒体１０６が搬送される間に、記録ヘッド１０１〜１０４それぞれに配列された複数の吐出口から、後述する記録データに従ってインクの吐出動作が行われる。これにより、記録媒体１０６に対する１回の記録ヘッドのＸ方向への相対的な走査にて記録媒体１０６上に画像が形成される。
【００１６】
図２（ａ）は、本実施形態に係るブラックインクを吐出するための記録ヘッド１０１の詳細な構成を示す模式図である。記録ヘッド１０１は、後述する複数の吐出口列を有する１８個の記録素子基板２０１〜２１８が、１つの記録素子基板のＹ方向における一方の端部と１つの記録素子基板のＹ方向における他方の端部とがＹ方向に同じ位置となるように、Ｙ方向に沿って千鳥状に配置されることにより構成される。これにより、記録ヘッド１０１のＹ方向における長さは記録媒体１０６のＹ方向における幅よりも長尺なものとなっている。なお、本実施形態に適用可能な記録ヘッドは図２（ａ）に示すような複数の記録素子基板をＹ方向に沿って配置したものに限られない。例えば、記録媒体１０６の幅以上の長さを有する吐出口列を持ったひとつの記録素子基板から構成された記録ヘッドであっても良い。
【００１７】
図２（ｂ）は、本実施形態に係る図２（ａ）に示す記録素子基板２０１の詳細な構成を示す模式図である。記録素子基板２０１には、それぞれブラックインクを吐出する複数の吐出口がＹ方向に１／１２００インチの間隔（以下、１２００ｄｐｉとも称する）にて配列された、８個の吐出口列２０１ａ、２０１ｂ、２０１ｃ、２０１ｄ、２０１ｅ、２０１ｆ、２０１ｇ、２０１ｈがＸ方向に並んで配置されている。
【００１８】
図３は、本発明の一実施形態に係る記録システムを示すブロック図である。同図に示すように、この記録システムは、図１に示したプリンタ１００と、そのホスト装置としてのパーソナルコンピュータ（以下、ホストＰＣと称する）３００を有して構成される。
【００１９】
ホストＰＣ３００は、以下の要素を有して構成される。ＣＰＵ３０１は、記憶手段であるＲＡＭ３０２やＨＤＤ３０３に保持されているプログラムに従った処理を実行する。ＲＡＭ３０２は、揮発性のストレージであり、プログラムやデータを一時的に保持する。ＨＤＤ３０３は、不揮発性のストレージであり、同じくプログラムやデータを保持する。本実施形態では、データ転送Ｉ／Ｆ（インターフェース）３０４はプリンタ１００との間におけるデータの送受信を制御する。このデータ送受信の接続方式としては、ＵＳＢ、ＩＥＥＥ１３９４、ＬＡＮ等を用いることができる。キーボード・マウスＩ／Ｆ３０５は、キーボードやマウス等のＨＩＤ（Ｈｕｍａｎ  Ｉｎｔｅｒｆａｃｅ  Ｄｅｖｉｃｅ）を制御するＩ／Ｆであり、ユーザは、このＩ／Ｆを介して入力を行うことができる。ディスプレイＩ／Ｆ３０６は、ディスプレイ（不図示）における表示を制御する。
【００２０】
一方、プリンタ１００は、以下の要素を有して構成される。ＣＰＵ３１１は、ＲＡＭ３１２やＲＯＭ３１３に保持されているプログラムに従い、後述する各処理を実行する。ＲＡＭ３１２は、揮発性のストレージであり、プログラムやデータを一時的に保持する。ＲＯＭ３１３は不揮発性のストレージであり、後述する処理で使用するテーブルデータやプログラムを保持することができる。データ転送Ｉ／Ｆ３１４は、ＰＣ３００との間におけるデータの送受信を制御する。ヘッドコントローラ３１５は、図１に示したそれぞれの記録ヘッド１０１〜１０４に対して記録データを供給するとともに、記録ヘッドの吐出動作を制御（吐出制御）する。具体的には、ヘッドコントローラ３１５は、ＲＡＭ３１２の所定のアドレスから制御パラメータと記録データを読み込む構成とすることができる。そして、ＣＰＵ３１１が、制御パラメータと記録データをＲＡＭ３１２の上記所定のアドレスに書き込むと、ヘッドコントローラ３１５により処理が起動され、記録ヘッドからのインク吐出が行われる。
【００２１】
ここで、上述のように、記録媒体の搬送量が周期的にずれた場合、吐出口列間においてインクの着弾位置のずれが生じる場合がある。以下、簡単のためブラックインクを吐出するための記録ヘッド１０１内の記録素子基板２０１に配置された吐出口列２０１ａ〜２０１ｈ間における搬送量ずれについて説明する。
【００２２】
図４（ａ）は記録媒体の搬送量の周期的な変動を模式的に示す図である。また、図４（ｂ）は記録媒体のＸ方向における位置が０〜４ｍｍの範囲である場合における図４（ａ）の拡大図である。また、図４（ｃ）はＸ方向における記録媒体のそれぞれの位置でのＸ方向への搬送量ずれの値を示す表である。
【００２３】
なお、ここではそれぞれの吐出口列が記録媒体に対して最初にインクを吐出する際の記録媒体のＸ方向における位置を０ｍｍとして記載する。すなわち、Ｘ方向において最も上流側に位置する吐出口列２０１ａに対して記録媒体のＸ方向における位置が０ｍｍである場合、他の吐出口列２０１ｂ〜２０１ｈは未だ記録媒体と対向する位置にはないことになる。また、吐出口列２０１ｂに対して記録媒体のＸ方向における位置が０ｍｍである際には、吐出口列２０１ａに対しての記録媒体のＸ方向における位置は１．０５ｍｍとなる。
【００２４】
まず、吐出口列２０１ａからインクを吐出する場合における搬送量のずれついて以下に詳細に記載する。
【００２５】
吐出口列２０１ａから記録媒体に対する記録を開始した際、すなわち記録媒体のＸ方向における位置が０ｍｍの際には、吐出口列２０１ａからはＸ方向への着弾位置ずれが生じることなくインクが吐出される（搬送量ずれ＝０．０μｍ）。
【００２６】
その後、記録媒体のＸ方向への搬送が進むにつれて、吐出口列２０１ａから吐出されるインク滴の着弾位置ずれは漸次的にＸ方向における正方向に大きくなり、記録媒体のＸ方向における位置が７ｍｍに達した際にはＸ方向における正方向へ３９．９μｍの着弾位置ずれが生じる（搬送量ずれ＝３９．９μｍ）。これは、記録媒体への記録を開始してから記録媒体のＸ方向における位置が７ｍｍとなるまで記録媒体を搬送する間においては搬送量が規定の量に比べて過大となっているからであると考えられる。
【００２７】
更に記録媒体の搬送が進むと、吐出口列２０１ａから吐出されるインク滴の着弾位置ずれはＸ方向における負方向へと大きくなり、記録媒体のＸ方向における位置が１５ｍｍに達した際にはＸ方向における負方向へ２．６μｍの着弾位置ずれが生じる（搬送量ずれ＝−２．６μｍ）。すなわち、記録媒体のＸ方向における位置が８ｍｍとなってから１５ｍｍとなるまで記録媒体を搬送する間においては搬送量が規定の量に比べて過小となっているためと考えられる。
【００２８】
このようにして記録媒体の搬送量の過大と過小が交互に繰り返し生じることによって、記録媒体の搬送量に周期的なずれが生じていると考えられる。このような搬送量の周期的な変動は種々の理由により発生する。例えば、搬送ローラに偏心が生じ、断面形状が楕円とってしまった場合、搬送ローラの回転位相に応じて上記のような搬送量が過大となる領域と過小となる領域が生じてしまう虞がある。
【００２９】
ここで、吐出口列２０１ａは図２（ｂ）からわかるようにＸ方向において最も上流側に配置されているため、吐出口列２０１ａ〜２０１ｈの中で記録媒体に対して最初に記録が行われる。そのため、吐出口列２０１ｂから記録媒体に対して最初に記録を行うタイミングは、吐出口列２０１ａから記録媒体に対して最初に記録を行うタイミングよりも僅かに後となる。したがって、吐出口列２０１ｂから記録媒体に対して記録を開始する（記録媒体のＸ方向における位置が０ｍｍである）際には、Ｘ方向における正方向へのインクの着弾位置ずれが生じている（着弾位置ずれ＝８．９ｍｍ）。
【００３０】
以下、吐出口列２０１ｂからインクを吐出する際には、吐出口列２０１ａからインクを吐出する場合と記録媒体上の同じ位置に記録を行う場合であっても記録を行うタイミングがわずかに遅れる。そのため、記録媒体の位置が同じであっても、吐出口列２０１ａから吐出されたインクと吐出口列２０１ｂから吐出されたインクの間で、異なる程度にてインクの着弾位置ずれが生じる。なお、吐出口列間の距離が長くなるほどインクの吐出タイミングの差が大きくなる。この結果、図４（ａ）に示すように吐出口列２０１ａ〜２０１ｈそれぞれにおいて搬送量の周期的な変動が互いにずれて生じることとなる。
【００３１】
このような吐出口列間のインクの着弾位置ずれが生じると、特に画像のエッジ部において顕著な画質の低下が発生する虞がある。例えば、記録媒体のＸ方向における位置が１０ｍｍの領域においては図４（ｃ）からわかるように、正方向に最大で３３．８μｍ（吐出口列２０１ａ）、負方向に最大で２１．５μｍ（吐出口列２０１ｈ）のインクの着弾位置ずれが生じる。これらの着弾位置ずれの差分は５５．３μｍであり、１つの画素相当の画素領域の長さ（４２．３μｍ）よりも大きくなってしまう。エッジ部は画像の先鋭さを保つために特にインクを正確に着弾させる必要があるにも関わらず、吐出する吐出口列に応じて１画素領域以上の着弾位置ずれが生じてしまうと、エッジ部の画質の低下が視認されてしまう虞がある。
【００３２】
ここで、記録に使用する吐出口列を少なくし、且つ、Ｘ方向に互いに隣接する吐出口列のみを用いる場合、上記のインクの着弾位置ずれの差分を小さくすることができる。例えば、吐出口列２０１ａ、２０１ｂ、２０１ｃのみを用いると、記録媒体のＸ方向における位置が１０ｍｍの領域においてはインクの着弾位置ずれ（記録媒体の搬送量のずれ）の差分は１２．７μｍ（＝３３．８μｍ−２１．１μｍ）まで小さくなる。したがって、エッジ部を記録する場合においても画質の低下が目立たないように記録を行うことができる。
【００３３】
以上の点を鑑み、本実施形態では、記録媒体を複数の判別領域に論理的に分割し、それぞれの判別領域が画像のエッジ部と非エッジ部のいずれに対応するかを判定する。このエッジ部と非エッジ部の検出方法については後述する。そして、エッジ部に対応する判別領域に対しては画質の低下を目立たなくするため、互いに隣接する３つの吐出口列２０１ａ、２０１ｂ、２０１ｃのみを用いて記録を行う。一方、非エッジ部に対応する判別領域に対しては複数の吐出口列にて分担して記録媒体上の同一の領域に記録を行うことにより得られるマルチパス効果を得るために、８つすべての吐出口列２０１ａ〜２０１ｈを用いて記録を行う。
【００３４】
図５は本実施形態における画像処理の各工程を示したブロック図である。また、図６は図５に示すブロック図にしたがって実行される画像処理の過程を示すフローチャートである。
【００３５】
記録処理が開始されると、プリンタ１００は画像入力部Ａ０１をおいて画像データを取得する（ステップＢ０１）。なお、ここでは画像データは解像度６００ｄｐｉでＲＧＢ各８ｂｉｔ２５６階調のカラー画像であるとして説明が、本実施形態はモノクロ画像の画像データであっても適用できる。
【００３６】
次に、色変換処理部Ａ０２によって色変換処理を行い、画像データを６００ｄｐｉでＣＭＹＫ各色８ｂｉｔ２５６階調のインク色データへ変換する（ステップＢ０２）。色変換処理とは、Ｒ、Ｇ、Ｂの各階調値の組み合わせで表現されている画像データを、記録に使用される各色の階調値によって表現されたデータに変換する処理である。上述したように、プリンタ１００はＣ、Ｍ、Ｙ、Ｋの４色のインクを用いて画像を記録する。そこで、本実施形態の色変換処理部Ａ０２ではＲ、Ｇ、Ｂで表された画像データをＣ、Ｍ、Ｙ、Ｋの各色の階調値によって表現されたインク色データに変換する処理を行う。
【００３７】
次に、量子化処理部Ａ０３によってインク色データに量子化処理を行い、量子化データを生成する（ステップＢ０３）。ここで、量子化処理は、８ｂｉｔ２５６階調の階調数を持つインク色データを、プリンタ１００で記録可能な階調（本実施形態ではＬｅｖｅｌ０〜４の５値とする）へ、適切に階調値を低減させる処理である。一般的に量子化処理としては誤差拡散法やディザ法が用いられることが多いが、その形態は特に限定されるものではない。
【００３８】
次に、ドット記録位置決定部Ａ０４においてドットパターンを用い、量子化データのドット記録位置を決定したドット記録用データを生成する（ステップＢ０４）。本実施形態では、解像度が６００ｄｐｉの５値の量子化データに対して解像度が１２００ｄｐｉのドットパターンを適用することでドット記録用データを生成する。
【００３９】
図７は本実施形態で適用するドットパターンを示す図である。
【００４０】
例えば量子化データの値がＬｅｖｅｌ１の場合、ドットパターンＣ１１、Ｃ１２、Ｃ１３、Ｃ１４が順番に適用される。したがって、記録媒体上のある領域にＬｅｖｅｌ１の量子化データに対応する画像を記録する際には、６００ｄｐｉの単位内に１つのドットのみが記録され、その単位内のドット記録位置は「左上（Ｃ１１）」「左下（Ｃ１２）」「右下（Ｃ１３）」「右上（Ｃ１４）」を繰り返す。
【００４１】
また、例えば量子化データの値がＬｅｖｅｌ２である場合、ドットパターンＣ２１，Ｃ２２が順番に適用される。そのため、記録媒体上のある領域にＬｅｖｅｌ２の量子化データに対応する画像を記録する場合、６００ｄｐｉの単位内に２つのドットが記録され、単位内におけるドット記録位置は「左上および右下（Ｃ２１）」、「右上および左下（Ｃ２２）」を交互に繰り返す。
【００４２】
次に、記録吐出口列決定部Ａ０５によってドット記録用データのエッジ部の検出を行い（ステップＢ０５）、その結果に基づいて吐出口列分配パターン記憶部Ａ１１より異なる分配パターンを読み出し、ドット記録用データを各吐出口列に分配し、各吐出口列用の記録データを生成する（ステップＢ０６〜ステップＢ１０）。
【００４３】
まず、本実施形態に係るエッジ検出処理について以下に詳細に説明する。
【００４４】
図８は本実施形態におけるエッジ検出処理のフローを示すフローチャートである。また、図９はある画像に対して図８に示すエッジ検出処理を実行した際の過程を模式的に示す図である。
【００４５】
まず、ステップＳＸ０１でドット記録用データの読み込みを行う。
【００４６】
次に、ステップＳＸ０２にてドット記録用データに基づいてブラックインクのドット記録用データ（ブラックドット記録用データ）を抽出する。明度の低いブラックインクで記録される画像においてエッジ部におけるインクの着弾位置ずれが顕著に視認されるため、本実施形態ではブラックインクのドット記録用データのみに関してエッジ検出処理を行う。図９（ａ）はステップＳＸ０２にて抽出されたブラックインクのドット記録用データの一例を模式的に示す図である。ここでは、図９（ａ）に示すようにＸ方向上流側にブラックインクのドットが記録され、Ｘ方向下流側にはブラックインクが記録されない（以下、ブランクとも称する）画像についてエッジ検出処理を実行する場合について説明する。
【００４７】
次に、ステップＳＸ０３にてブラックドット記録用データに対して反転処理を行い、ブラック反転データを生成する。すなわち、ブラックドット記録用データのうち、インクの吐出を定める信号をインクの非吐出を定める信号へと変換し、同時にインクの非吐出を定める信号をインクの吐出を定める信号へと変換する。図９（ｂ）は図９（ａ）に示したブラックインクのドット記録用データに対して反転処理を行った際に生成されるブラック反転データを模式的に示す図である。図９（ｂ）からわかるようにＸ方向上流側はブランクであり、Ｘ方向下流側にブラックインクの吐出が定められたデータが生成される。
【００４８】
次に、ステップＳＸ０４にてブラック反転データにボールド処理を行い、ブラックボールドデータ（判別データ）を生成する。ここで、ボールド処理とは、特定データのアドレスを所定方向に所定量だけシフトし、シフト前の特定データとシフト後の特定データの論理和（ＯＲ）処理を行うことにより、特定データを膨らませる処理のことである。本実施形態ではボールド処理の一例として、ブラック反転データをＸ方向に１画素分だけシフトさせる処理を行い、ブラックボールドデータを生成する。図９（ｃ）は図９（ｂ）に示すブラック反転データに対してボールド処理を実行することにより生成されるブラックボールドデータ（判別データ）を模式的に示す図である。図９（ｃ）からわかるように、ブラックボールドデータ（判別データ）は図９（ｂ）に示すブラック反転データに比べてＸ方向に１画素分だけ膨らんだデータとなる。なお、ここでは簡単のためＸ方向に１画素だけシフトさせる場合について記載したが、Ｙ方向に１画素シフトさせても良い。更に、シフトさせる量も適宜設定することができ、例えばＸ方向に３画素、Ｙ方向に３画素シフトさせる場合であっても良い。
【００４９】
次に、ステップＳＸ０５にて、ステップＳＸ０２で取得されたブラックドット記録用データとステップＳＸ０４で生成されたブラックボールドデータの論理積（ＡＮＤ）処理を行い、ブラックインクのエッジデータ（ブラックエッジデータ）を生成する。図９（ｄ）は図９（ａ）に示すブラックドット記録用データと図８（ｃ）に示すブラックボールドデータの論理積処理を行うことにより得られるブラックエッジデータを模式的に示す図である。図９（ｄ）より、本実施形態によれば、図９（ａ）に示したブラックドット記録用データにおけるエッジ部に相当する画素列９０を抽出できることがわかる。
【００５０】
その後、それぞれＸ方向に８画素（８ラスター）、Ｙ方向に１９２画素（１９２カラム）からなる複数の判別領域内それぞれにおけるブラックエッジデータの数をカウントする。そして、ブラックエッジデータの数が所定の閾値以上である判別領域をエッジ部に対応する判別領域にとする。また、ブラックエッジデータの数が所定の閾値未満である判別領域をエッジ部以外の非エッジ部に対応する判別領域とする。なお、本実施形態では所定の閾値を１６画素としている。
【００５１】
このようにして生成されたエッジ部および非エッジ部に関する情報は、ステップＳＸ０６にてＲＡＭに記憶され、後述するドット記録用データの分配処理を実行する際に用いられる。
【００５２】
本実施形態で実行するドット記録用データの分配処理について以下に詳細に記載する。
【００５３】
本実施形態では、予め吐出口列分配パターン記憶部Ａ１１に第１の吐出口列分配パターン（第１の分配パターン）Ｄ０１と第２の吐出口列分配パターン（第２の分配パターン）Ｄ１１を記憶している。
【００５４】
図１０は第１の分配パターンＤ０１、第２の分配パターンＤ１１を示す模式図である。なお、図１０の画素に相当する各格子内の分配パラメータａ〜ｈは、それぞれの画素にインクの吐出を定める信号が入力された場合に吐出口列２０１ａ〜２０１ｈのいずれに該信号を分配するかを示している。例えば、第１の分配パターンＤ０１において画素９１にインクの吐出を定める信号が入力された場合、該信号は吐出口列２０１ａに分配される。同様に、第１の分配パターンＤ０１において画素９２にインクの吐出を定める信号が入力された場合、該信号は吐出口列２０１ｈへと分配される。
【００５５】
ここで、図１０（ａ）に示す第１の分配パターンＤ０１には、分配パラメータａ〜ｈがそれぞれ同じ数だけ配置されている。すなわち、吐出口列２０１ａ〜２０１ｈのそれぞれに対するドット記録用データの分配率はいずれも約１２．５（＝１００／８）％となり、互いにほぼ等しい。したがって、第１の分配パターンＤ０１を用いることにより、吐出口列２０１ａ〜２０１ｈのそれぞれに対してほぼ同量ずつドット記録用データを分配することができる。
【００５６】
これに対し、図１０（ｂ）に示す第２の分配パターンＤ１１には、分配パラメータｄ〜ｈは配置されておらず、分配パラメータａ〜ｃがほぼ同じ数となるように配置されている。すなわち、ドット記録用データの吐出口列２０１ｄ〜２０１ｈに対する分配率は０であり、且つ、吐出口列２０１ａ〜２０１ｃそれぞれに対する分配率は互いにほぼ等しく約３３（＝１００／３）％である。したがって、第２の分配パターンＤ１１を適用した場合、ドット記録用データは吐出口列２０１ｄ〜２０１ｈには分配されず、互いに隣接する３つの吐出口列２０１ａ〜２０１ｃに対してほぼ同量ずつ分配される。
【００５７】
なお、ここでは非エッジ部に対応する画像を記録する場合には複数の吐出口列それぞれに対するドット記録用データの分配率が互いにほぼ同じとなるような形態について記載したが、図１０とは異なる形態による実施も可能である。すなわち、Ｎ個の吐出口列がＸ方向に並んで配置された記録素子基板を有する記録ヘッドを用いる場合、非エッジに対応する画像を記録する際のＮ個の吐出口列それぞれに対する分配率のうちの最大値と最小値との差が、エッジ部に対応する画像を記録する際のＮ個の吐出口列それぞれに対する分配率のうちの最大値と最小値との差よりも小さくなるように、ドット記録用データを分配すれば良い。例えば、本実施形態のようにＮ＝８である場合には、非エッジ部を記録する際には吐出口列２０１ａ〜２０１ｄのそれぞれに対するドット記録用データの分配率が約１０％であり、吐出口列２０１ｅ〜２０１ｈのそれぞれに対するドット記録用データの分配率が約１５％であるようにドット記録用データを分配し、エッジ部を記録する際には吐出口列２０１ａ〜２０１ｅのそれぞれに対するドット記録用データの分配率が約２０％であり、吐出口列２０１ｆ〜２０１ｈのそれぞれに対するドット記録用データの分配率が約０％であるようにドット記録用データを分配するような形態であっても良い。この場合、非エッジ部に対応する画像を記録する際の分配率の最大値と最小値の差は約５（＝１５−１０）％であり、エッジ部に対応する画像を記録する際の分配率の最大値と最小値の差は約２０（＝２０−０）％となるため、上記の条件を満たしている。
【００５８】
また、ここでは、エッジ部に対応する画像を記録する場合に、記録に用いる吐出口列の数を少なくし、且つ、互いに隣接する吐出口列からインクを吐出する形態について記載したが、他の形態による実施も可能である。すなわち、Ｎ個の吐出口列がＸ方向に並んで配置された記録素子基板を有する記録ヘッドを用いる場合、エッジ部に対応する画像を記録する際にはＸ方向に隣接するＫ（Ｋ＜Ｎ）個の吐出口列それぞれに対する分配率が、Ｋ個の吐出口列以外のＮ−Ｋ個の吐出口列それぞれに対する分配率よりも高くなるようにドット記録用データの分配を行えば良い。例えば、本実施形態のようにＮ＝８である場合には、エッジ部を記録する際に３個の吐出口列２０１ｃ〜２０１ｅそれぞれに対するドット記録用データの分配率が２５％であり、他の５つの吐出口列２０１ａ、２０１ｂ、２０１ｆ〜２０１ｈそれぞれに対するドット記録用データの分配率が５％であるようにドット記録用データを分配する形態であっても良い。
【００５９】
本実施形態では、エッジ検出処理Ｂ０５により検出されたブラックエッジデータに応じて図１０にそれぞれ示す第１の分配パターンＤ０１と第２の分配パターンＤ１１のいずれかを選択し、８個の吐出口列に対してドット記録用データを分配する。
【００６０】
具体的には、ステップＢ０６にてエッジ部に相当するブラックドット記録用データが入力されたと判断された場合、ステップＢ０７へと進み、吐出口列分配パターン記憶部Ａ１１から第２の分配パターンＤ１１が読み出される。そして、ステップＢ０８にてブラックドット記録用データおよび第２の分配パターンＤ１１に基づいて８個の吐出口列２０１ａ〜２０１ｈそれぞれからのインクの吐出に用いられる８個の記録データが生成される。
【００６１】
一方、ステップＢ０９にて非エッジ部に相当するブラックドット記録用データが入力されたと判断された場合には、ステップＢ０９に進み、吐出口列分配パターンＡ１１から第１の分配パターンが読みだされる。その後、ステップＢ１０にてブラックドット記録用データおよび第１の分配パターンＤ０１に基づいて８個の記録データが生成される。
【００６２】
このようにして、ステップＢ０８またはステップＢ１０のいずれかによって生成された記録データに基づいてステップＢ１１にてインクの吐出が行われる。
【００６３】
ここで、エッジ部に相当するドット記録用データと非エッジ部に相当するドット記録用データがそれぞれ入力された際に生成される記録データについて、記録位置データの一例を参照しながら以下に詳細に説明する。
【００６４】
図１１（ａ１）〜（ａ３）は非エッジ部に相当するドット記録用データが入力された際に生成される記録データを説明するための図である。
【００６５】
図１１（ａ１）は図１０（ａ）に示す第１の分配パターンＤ０１と同一のものである。また、図１１（ａ２）は入力される非エッジ部に相当するドット記録用データＤ０２を模式的に示す図である。図１１（ａ２）において黒塗りで示した箇所がインクの吐出が定められている画素を、また、白抜けで示した箇所がインクの非吐出が定められている画素をそれぞれ示している。更に、図１１（ａ２）に示すドット記録用データが入力された場合に図１１（ａ１）に示す第１の分配パターンＤ０１を用いて吐出口列２０１ａ〜２０１ｈに分配して生成される記録データＤ０３ａ〜Ｄ０３ｈを模式的に示す図である。
【００６６】
図１１（ａ３）からわかるように、本実施形態によれば非エッジ部に相当するドット記録用データが入力された場合には吐出口列２０１ａ〜２０１ｈからの吐出量がほぼ同量となるような記録データＤ０３ａ〜Ｄ０３ｈが生成される。
【００６７】
したがって、搬送量のずれによるインクの着弾位置ずれが視認される虞が少ない図１１（ａ２）に示すような非エッジ部に対応する画像を記録する際には、すべての吐出口列によって分担して画像を記録することにより、マルチパス効果を好適に奏した記録を行うことができる。
【００６８】
図１１（ｂ１）〜（ｂ３）はエッジ部に相当するドット記録用データが入力された際に生成される記録データを説明するための図である。
【００６９】
図１１（ｂ１）は図１０（ｂ）に示す第２の分配パターンＤ１１と同一のものである。また、図１１（ｂ２）は入力されるエッジ部に相当するドット記録用データＤ１２を模式的に示す図である。更に、図１１（ｂ２）に示すドット記録用データが入力された場合に図１１（ｂ１）に示す第２の分配パターンＤ１１を用いて吐出口列２０１ａ〜２０１ｈに分配して生成される記録データＤ０３ａ〜Ｄ０３ｈを模式的に示す図である。
【００７０】
ここで、図１１（ｂ３）からわかるように、本実施形態によればエッジ部に相当するドット記録用データが入力された場合には、吐出口列２０１ｄ〜２０１ｈからはインクが吐出されないような記録データＤ１３ｄ〜Ｄ１３ｈが生成される。一方で、互いに隣接する吐出口列２０１〜２０１ｃからはインクの吐出量がほぼ同量となるような記録データＤ１３ａ〜Ｄ１３ｃが生成される。
【００７１】
したがって、搬送量のずれによるインクの着弾位置ずれが視認され易い図１１（ｂ２）に示すようなエッジ部に対応する画像を記録する場合には、記録に用いる吐出口列の数を少なくし、且つ、互いに隣接する吐出口列からインクを吐出する。これにより、吐出口列間でのインクの着弾位置ずれの差分を小さくすることができるため、エッジ部における画質の低下を抑制した記録を行うことが可能となる。一方で、非エッジ部に対応する画像を記録する場合には相対的に多い数の吐出口列を用いて分担して記録を行う。これにより、非エッジ部に対してはマルチパス効果が好適に得られるような記録を行うことができる。
【００７２】
（第２の実施形態）
第１の実施形態では、ドット記録用データに基づいてエッジ検出を行う形態について記載した。
【００７３】
これに対し、本実施形態では、色変換処理を行う前のＲＧＢ形式の多値データに基づいてエッジ検出を行う形態について記載する。
【００７４】
なお、前述した第１の実施形態と同様の部分については説明を省略する。
【００７５】
図１２は本実施形態におけるエッジ検出処理のフローを示すフローチャートである。
【００７６】
まず、ステップＨ０１で、エッジ検出を行う対象となる画像データの読み込みを行う。ここで記録データは解像度６００ｄｐｉでＲＧＢ各８ｂｉｔ２５６階調のカラー画像であるものとする。
【００７７】
次に、ステップＨ０２で着目画素周辺画素の符号化を行う。本実施形態では、図１３（ａ―１）（ａ−２）に示すように、着目画素周辺の８画素について、着目画素の信号値（Ｒ、Ｇ、Ｂ）＝（０、０、０）と同じ信号値の画素は「１」、異なる信号値の画素は「０」として、３×３のウィンドウの左上から順に並べて符号化する。なお、本実施形態では符号化文字集合としてＪＩＳ  Ｘ  ０２０１を用いて符号化を行う。図１３（ａ−１）に示した例では「１１０−１０−１１０（０ｘＤ６）」となり、図１３（ａ−２）の例では「０１１−０１−０１１（０ｘ６Ｂ）」となる。
【００７８】
次に、ステップＨ０３で着目画素がエッジ部データか否かを判定する。図１３（ｂ）に示したエッジ判定テーブルを参照し、符号との対応よりエッジであると判定された場合は、ステップＨ０４でエッジ情報「１」を記憶する。
【００７９】
その後、エッジ情報を元に記録データをエッジ部、非エッジ部に分け、それぞれのフローで色変換処理、量子化処理、ドット位置決定を行う。そして、エッジ部データに関しては図１０（ｂ）に示す第２の分配パターンを用いて記録データを生成し、非エッジ部データに関しては図１０（ａ）に示す第１の分配パターンを用いて記録データを生成する。そして最後に吐出口列毎に生成された記録データが対応する吐出口列に転送され、記録媒体上にドットが記録される。
【００８０】
なお、本実施形態では信号値（Ｒ、Ｇ、Ｂ）＝（０、０、０）のエッジを検出する例を示したが、検出するエッジの信号値には幅を持たせることも可能であり、Ｒ＝Ｇ＝Ｂ＝０〜３２の画素に対してエッジ情報「１」のフラグを立ててもよい。また、対象色が他にもある場合は同様のフローを実施することも可能である。
【００８１】
（第３の実施形態）
上述の第１の実施形態では、エッジ部に相当するドット記録用データが入力された場合には記録媒体のＸ方向における位置に関わらず、記録に使用する吐出口列を少なくし、且つ、Ｘ方向に互いに隣接する吐出口列のみを用いる形態について記載した。
【００８２】
これに対し、本実施形態では、記録媒体のＸ方向における位置が記録媒体の搬送量のずれに由来するインク滴の着弾位置ずれの影響が特に視認され易い位置である場合にのみ、使用する吐出口列の数を少なくする形態について説明する。
【００８３】
なお、前述した第１または第２の実施形態と同様の部分については説明を省略する。
【００８４】
本実施形態では、エッジ部に対応する画像を記録する場合であって、且つ、吐出口列間のインクの着弾位置ずれの差分が所定の閾値以上となる場合においてのみ、記録に用いる吐出口列の数を少なくし、且つ、互いに隣接する吐出口列からインクを吐出する。具体的には、エッジ部に対応する画像を記録する際、吐出口列２０１ａ〜２０１ｈ間のインクの着弾位置ずれの差分が４０．０ｍｍ以上である場合には図１０（ｂ）に示す第２の分配パターンを用いる。一方で、インクの着弾位置ずれの差分が４０．０ｍｍ未満である場合には、エッジ部に対応する画像を記録する場合であっても図１０（ａ）に示す第１の分配パターンを適用する。
【００８５】
図４（ｃ）からわかるように、記録媒体のＸ方向における位置が０ｍｍ、８ｍｍ〜１４ｍｍの場合においてインクの着弾位置ずれの差分が４０．０ｍｍ以上となる。これらの位置においては、エッジ部における画質の低下が特に顕著となるため、図１０（ｂ）に示す第２の分配パターンを適用する。また、記録媒体のＸ方向における位置が１ｍｍ〜７ｍｍ、１５ｍｍの場合ではインクの着弾位置ずれの差分は４０．０ｍｍ未満となるため、エッジ部での画質の低下は比較的視認されにくい。そこで、図１０（ａ）に示す第１の分配パターンを適用し、マルチパス効果を重視した記録を行う。
【００８６】
（第４の実施形態）
前述した第１から第３の実施形態では、エッジ部と非エッジ部との間で２段階にて記録に使用する吐出口列の数を異ならせる形態について記載した。
【００８７】
しかしながら、このような形態によればエッジ部と非エッジ部の間のみで使用する吐出口列の数を切り替えるため、エッジ部に対応する画像と非エッジ部に対応する画像の間で記録される画像の画質に顕著な違いが見られる虞がある。
【００８８】
そこで本実施形態では、エッジ部および非エッジ部の他に、エッジ部と非エッジ部の間のエッジ近傍部に対応する画像に対しても異なる分配処理を行う。具体的には、エッジ部と判定された画素に隣接するインクの吐出を定めた画素をエッジ部の近傍であるエッジ近傍部とし、エッジ近傍部に対応する画像に対して図１４に示す第３の分配パターンＤ２１を適用する。
【００８９】
なお、前述した第１から第３の実施形態と同様の部分については説明を省略する。
【００９０】
ここで、図１４に示す第３の分配パターンＤ２１には、分配パラメータａ〜ｅが互いにほぼ同じ数となるように配置されている。したがって、第３の分配パターンＤ２１を適用した場合、ドット記録用データは吐出口列２０１ｆ〜２０１ｈには分配されず、互いに隣接する５つの吐出口列２０１ａ〜２０１ｅに対してほぼ同量ずつ分配される。
【００９１】
本実施形態によれば、エッジ近傍部に対応する画像を記録する場合、エッジ部に対応する画像を記録する場合に用いる吐出口列の数（３つ）よりも多く、且つ、非エッジ部に対応する画像を記録する場合に用いる吐出口列の数（８つ）よりも少ない数（５つ）の吐出口列を用いて記録を行うことができる。これにより、記録に使用する吐出口列をエッジ部と非エッジ部の間で段階的に変えることができるため、エッジ部に対応する画像と非エッジ部に対応する画像の間における画質の低下を視認されにくくすることが可能となる。
【００９２】
（第５の実施形態）
前述した第１から第４の実施形態では、一色のインクのみを対象としてエッジ判別処理や分配処理を実行する形態について記載した。
【００９３】
これに対し、本実施形態では、複数色のインクを対象としたエッジ判別処理および分配処理について記載する。
【００９４】
なお、前述した第１から第４の実施形態と同様の部分については説明を省略する。
【００９５】
本実施形態では、図１５に模式的に示すような、複数色のインクのうちの明度差が大きく、エッジ部におけるインクの着弾位置ずれが視認され易いブラックインクとイエローインクそれぞれによって記録された画像の境界部をエッジ部として判断する。
【００９６】
図１６は本実施形態におけるエッジ検出処理のフローを示すフローチャートである。
【００９７】
まず、ステップＳＸ０１で境界検知を行う対象となる記録データの読み込みを行う。本実施形態ではブラック（Ｂｌａｃｋ）、イエロー（Ｙｅｌｌｏｗ）の２色について境界検出（エッジ検出）を行う。なお、対象色が他にもある場合は同様のフローを実施することも可能である。
【００９８】
次に、ステップＳＸ０２でブラックインクのドット記録用データ（Ｂｌａｃｋデータ）のボールド処理を行う。なお、本実施形態ではボールド処理の一例として、ＢｌａｃｋデータをＸ方向に１画素分だけシフトさせる処理を行う。
【００９９】
続いて、ステップＳＸ０３でボールド処理を行ったＢｌａｃｋボールドデータと、イエローインクのドット記録用データ（Ｙｅｌｌｏｗデータ）とＡＮＤ処理を行い、ＢｌａｃｋボールドデータとＹｅｌｌｏｗデータのＡＮＤデータを生成する。ここでは、ブラックデータをボールドしているので、カラー側のＡＮＤデータを生成することができる。また、ボールドするデータをカラーにすることでブラック側の境界部を生成することも可能である。
【０１００】
次にステップＳＸ０４で、各色のエリア毎に境界部（エッジ部）に存在しているＡＮＤデータのカウントを行う。このカウント結果を用いて、ステップＳＸ０５で境界であるかを判断している。ここでは、８ラスター×１９２カラムを判別領域として、境界部に存在しているＡＮＤデータの数が閾値以上であるか判定を行う場合の一例を示す。なお、８ラスター×１９２カラムとは、搬送方向に１２００ｄｐｉ８画素分、搬送方向に垂直な方向に１２００ｄｐｉ１９２画素分のエリアのことである。この判別領域（１５３６ドット中）における境界に存在するＡＮＤデータが１６以上存在する場合を境界部（エッジ部）と見なしている。ドット数が１６以下の場合は境界部ではないと見なしている。
【０１０１】
次にステップＳＸ０６で、境界部であるか否かの境界情報を８ラスター毎に記憶する。その際に境界であることを示すフラグなどを用いて、記録データと関連づけしながら記憶するようにしている。以上で、本フローチャートは終了する。
【０１０２】
本実施形態によれば、異なる色間における画像の境界部を検出することが可能となる。
【０１０３】
（第６の実施形態）
本実施形態では、記録媒体上の異なる二面に記録を行う形態について記載する。
【０１０４】
なお、前述した第１から第５の実施形態と同様の部分については説明を省略する。
【０１０５】
記録媒体の搬送量は、記録媒体自体の摩擦係数や剛性等の特性に応じて変化する。そこで、本実施形態では、ホストＰＣ３００のディスプレイＩ／Ｆ２０６によってディスプレイ（不図示）に表示されるＵＩを通じて設定された記録媒体の種類に応じて、エッジ部を記録する際に使用する吐出口列の数を決定することで、画質劣化を好適に抑制する。
【０１０６】
例えば、記録媒体Ａの摩擦係数が記録媒体Ｂよりも低い場合、記録媒体Ａへの記録時において搬送量ずれが生じ易くなる。この場合、記録媒体Ａは図４（ａ）のような搬送量変動を示し、記録媒体Ａと種類が異なる記録媒体Ｂは図１７（ａ）のような搬送量変動を示すことになる。
【０１０７】
ここで、それぞれの最大の搬送量ずれは、Ｘ方向における位置が１１ｍｍの場合において、記録媒体Ａが５６．５μｍ、記録媒体Ｂが２８．３μｍである。ここで、エッジ部での搬送量ずれを２０μｍ以下に抑えるとすると、記録媒体Ａを使用する場合は３（＝Ｋ２）列（Ｘ方向位置１１ｍｍにおいて、吐出口列２０１ｃ〜２０１ｅを使用すると１７．７μｍのずれ）、記録媒体Ｂを使用する場合は５（＝Ｋ１）列（Ｘ方向位置１１ｍｍにおいて、吐出口列２０１ｃ〜２０１ｇを使用すると１７．３μｍのずれ）となる。このように、記録媒体の種類に応じてエッジ部を記録する際に使用する吐出口列の数を決定することで、搬送量ずれを所望の値以下に抑えることが可能となる。
【０１０８】
また、同じ記録媒体であっても、おもて面と、おもて面を記録した後の裏面では、搬送量ずれが異なる虞がある。これは、おもて面にインクを吐出すると、記録媒体の水分含有量が増加することによって摩擦係数や剛性が変化し、裏面での搬送量が変化するためである。そこで、ホストＰＣ３００のディスプレイＩ／Ｆ２０６によってディスプレイ（不図示）に表示されるＵＩを通じて両面記録が設定された場合、おもて面と裏面でエッジ部を記録する際に使用する吐出口列の数を変更する。
【０１０９】
例えば、記録媒体のおもて面の摩擦係数が裏面よりも低い場合、おもて面記録時において搬送量ずれが生じ易くなる。この場合、記録媒体のおもて面は図４（ａ）のような搬送量変動を示し、裏面は図１７（ａ）のような搬送量変動を示すとする。それぞれの最大の搬送量ずれは、Ｘ方向における位置が１１ｍｍの場合において、おもて面が２８．３μｍ、裏面が５６．６μｍである。ここで、エッジ部での搬送量ずれを２０μｍ以下に抑えるとすると、おもて面は５（＝Ｋ３）列（Ｘ方向位置１１ｍｍにおいて、吐出口列２０１ｃ〜２０１ｇで１７．３μｍのずれ）、裏面は３（＝Ｋ４）列（Ｘ方向位置が１１ｍｍにおいて、吐出口列２０１ｃ〜２０１ｅで１７．７μｍのずれ）となる。このように、両面記録のおもて面か裏面かに応じてエッジ部を記録する際に使用する吐出口列の数を決定することで、両面ともに搬送量ずれを所望の値以下に抑えることが可能となる。
【０１１０】
なお、以上に説明した各実施形態では、エッジ部に対応する画像を記録する場合に、記録に用いる吐出口列の数を少なくし、且つ、互いに隣接する吐出口列からインクを吐出する形態について記載したが、他の形態による実施も可能である。すなわち、Ｎ個の吐出口列がＸ方向に並んで配置された記録素子基板を有する記録ヘッドを用いる場合、エッジ部に対応する画像を記録する際にはＸ方向に隣接するＫ（Ｋ＜Ｎ）個の吐出口列それぞれに対する分配率が、Ｋ個の吐出口列以外のＮ−Ｋ個の吐出口列それぞれに対する分配率よりも高くなるようにドット記録用データの分配を行えば良い。更に、エッジ境界部に対応する画像を記録する場合にはＸ方向に隣接するＬ（Ｋ＜Ｌ＜Ｎ）個の吐出口列それぞれに対する分配率が、Ｌ個の吐出口列以外のＮ−Ｌ個の吐出口列それぞれに対する分配率よりも高くなるようにドット記録用データを分配することにより、第４の実施形態による効果を得ることが可能である。
【０１１１】
また、以上に説明した各実施形態では、非エッジ部に対応する画像を記録する場合には複数の吐出口列それぞれに対するドット記録用データの分配率が互いにほぼ同じとなるような形態について記載したが、他の形態による実施も可能である。すなわち、Ｎ個の吐出口列がＸ方向に並んで配置された記録素子基板を有する記録ヘッドを用いる場合、非エッジに対応する画像を記録する際のＮ個の吐出口列それぞれに対する分配率のうちの最大値と最小値との差が、エッジ部に対応する画像を記録する際のＮ個の吐出口列それぞれに対する分配率のうちの最大値と最小値との差よりも小さくなるように、ドット記録用データを分配すれば良い。
【０１１２】
また、以上に説明した各実施形態では、記録媒体を論理的に分割してなる複数の判別領域のそれぞれがエッジ部に相当するか、非エッジ部に相当するかを判別する形態について記載したが、他の形態による実施も可能である。例えば、１画素ごとにエッジ部に相当する画素か非エッジ部に相当する画素かを判別しても良い。
【符号の説明】
【０１１３】
１０６  記録媒体
１０１〜１０４  記録ヘッド
２０１ａ〜２０１ｈ  吐出口列
３１３  ＲＯＭ
【図１】
0006452411.tif 000002
【図２】
0006452411.tif 000003
【図３】
0006452411.tif 000004
【図４】
0006452411.tif 000005
【図５】
0006452411.tif 000006
【図６】
0006452411.tif 000007
【図７】
0006452411.tif 000008
【図８】
0006452411.tif 000009
【図９】
0006452411.tif 000010
【図１０】
0006452411.tif 000011
【図１１】
0006452411.tif 000012
【図１２】
0006452411.tif 000013
【図１３】
0006452411.tif 000014
【図１４】
0006452411.tif 000015
【図１５】
0006452411.tif 000016
【図１６】
0006452411.tif 000017
【図１７】
0006452411.tif 000018